(57)【要約】【課題】容易に不正な基板ケースか否かを識別できる遊技機の基板ケース、基板ケースへの識別表記の刻印方法及び基板ケースへの識別表記の刻印装置を提供する。【解決手段】  遊技機の制御基板ケース１０には、カバー部材及びベース部材の各々側面に同一かつ固有の識別表記としてバーコード刻印が設けられている。これは、制御基板ケース１０に設けられている固有のバーコードをバーコードスキャナ１３０で読み取り、読み取ったバーコードをレーザーマーカー１２０により刻印したものである。これにより、不正なＲＯＭ交換をするため、制御基板ケース１０のカバー部材又はベース部材が分解され、別の制御基板ケース１０のカバー部材又はベース部材に交換された場合に、前記２つの識別表記が同一か否かで、容易に正規の制御基板ケース１０か否かを識別することができる。【選択図】図８
2009165565.tif 000002
【特許請求の範囲】
【請求項１】
遊技機の制御を行う制御基板を収納する遊技機の基板ケースであって、
前記遊技機の基板ケースは、
前記遊技機に固定されるベース部材、
前記ベース部材に係止され、前記制御基板を保護するカバー部材と
から構成され、
前記カバー部材及び前記ベース部材に、正規の基板ケースか否かを識別する同一かつ固有の識別表記が各々設けられたことを特徴とする遊技機の基板ケース。
【請求項２】
前記基板ケースに設けられたバーコードをバーコード読み取り可能なバーコードスキャナで読み取り、読み取ったデータを前記識別表記として、前記カバー部材及び前記ベース部材に各々設けたことを特徴とする請求項１に記載の遊技機の基板ケース。
【請求項３】
前記識別表記が、前記基板ケース内の前記制御基板の回路を構成する部品の見通しを妨げない位置に設けられたことを特徴とする請求項１又は２に記載の遊技機の基板ケース。
【請求項４】
前記識別表記が、前記カバー部材の側面及び前記ベース部材の側面のうちの少なくとも一方の側面に設けられたことを特徴とする請求項１乃至３のいずれかに記載の遊技機の基板ケース。
【請求項５】
前記識別表記が、前記制御基板の回路パターンのグランド部に対向した部分に設けられたことを特徴とする請求項１乃至４のいずれかに記載の遊技機の基板ケース。
【請求項６】
前記識別表記はレーザーの照射加工によって刻印されたことを特徴とする請求項１乃至５のいずれかに記載の遊技機の基板ケース。
【請求項７】
遊技機の制御を行う制御基板を収納する基板ケースが正規のものか否かを識別する同一かつ固有の識別表記が当該基板ケースに刻印される基板ケースへの識別表記の刻印方法であって、
前記遊技機の基板ケースは、
前記遊技機に固定されるベース部材と、
前記ベース部材に係止され、前記制御基板を保護するカバー部材と
から構成され、
前記カバー部材及び前記ベース部材に前記識別表記を各々刻印することを特徴とする遊技機の基板ケースへの識別表記の刻印方法。
【請求項８】
前記基板ケースに設けられたバーコードをバーコード読み取り可能なバーコードスキャナで読み取り、読み取ったデータを前記識別表記として、前記カバー部材及び前記ベース部材に各々刻印することを特徴とする請求項７に記載の遊技機の基板ケースへの識別表記の刻印方法。
【請求項９】
前記識別表記が、前記基板ケース内の前記制御基板の回路を構成する部品の見通しを妨げない位置に刻印されることを特徴とする請求項７又は８に記載の遊技機の基板ケースへの識別表記の刻印方法。
【請求項１０】
前記識別表記が、前記カバー部材の側面及び前記ベース部材の側面のうちの少なくとも一方の側面に対して刻印されることを特徴とする請求項７乃至９のいずれかに記載の遊技機の基板ケースへの識別表記の刻印方法。
【請求項１１】
前記識別表記が、前記制御基板の回路パターンのグランド部に対向した部分に刻印されることを特徴とする請求項７乃至１０のいずれかに記載の遊技機の基板ケースへの識別表記の刻印方法。
【請求項１２】
前記識別表記はレーザーの照射加工によって刻印されることを特徴とする請求項７乃至１１のいずれかに記載の遊技機の基板ケースへの識別表記の刻印方法。
【請求項１３】
遊技機の制御を行う制御基板を収納し、当該遊技機に固定されるベース部材と、当該ベース部材に係止され、当該制御基板を保護するカバー部材とから構成され、前記ベース部材又はカバー部材の少なくとも一方には固有のバーコードが設けられた基板ケースが正規のものか否かを識別する同一かつ固有の識別表記が当該基板ケースに刻印される遊技機の基板ケースへの識別表記の刻印装置であって、
前記基板ケースを搬送する搬送手段と、
前記バーコードを読み取る読取手段と、
前記基板ケースに刻印する刻印手段と、
前記搬送手段により搬送された前記基板ケースのカバー部材及びベース部材に、前記読取手段により前記基板ケースから読み取られた前記バーコードを前記識別表記として前記刻印手段に各々刻印させる制御手段と
を備えたことを特徴とする遊技機の基板ケースへの識別表記の刻印装置。
【発明の詳細な説明】
【技術分野】
【０００１】
本発明は、制御基板を収容するための遊技機の基板ケース、当該基板ケースへの識別表記の刻印方法及び当該基板ケースへの識別表記の刻印装置に関する。
【背景技術】
【０００２】
従来、パチンコ機やスロットマシン等の遊技機では、遊技機の動作を制御するためのＣＰＵやＲＯＭ等の制御素子を備えた制御基板が、合成樹脂製の制御基板ケースの内部に収容されている。これは、制御基板ケースによって制御基板を保護するとともに、ＲＯＭを交換して遊技内容を恣意的に変更しようとする不正行為を防ぐためである。そして、この制御基板ケースについて、不正なＲＯＭ交換を目的としたカバーのこじ開けをより確実に防止するために、さまざまな公知技術が知られている。
【０００３】
例えば、ベース部材とカバー部材とで箱形の制御基板ケースを形成する場合に、カバー部材の側壁から先端を屈曲した係止片を延設させるとともに、ベース部材の側壁には同屈曲部分が貫通して係止可能なスリットを形成し、ベース部材とカバー部材とを合体させるときに係止片の先端が外側からスリットを通過して係止することにより、こじ開けようとしても係止構造が引き離し方向へのこじ開けに抗するように作用するものが知られている（例えば、特許文献１を参照。）。
【０００４】
また、ボックスカバーがボックスベースの開放部分に覆設されて形成される制御基板ケースにおいて、ボックスベースの嵌挿凸部がボックスカバーの嵌挿凹部に嵌挿されるようにして、ボックスベース及びボックスカバーの合わせ目に薄板状の工具等を差し込み、基板ボックスをこじ開けようとしても、薄板状の工具等の先端部分が嵌挿凸部に突き当たり、その差し込みを防止することができるものが知られている（例えば、特許文献２を参照。）。
【０００５】
また、制御基板ケースの本体に、ヒンジ機構により枢結された一側縁を構成する側板部に係合孔を設ける一方、蓋体の裏面に本体の係合孔に嵌挿される係止片を設けて、蓋体が閉止されると本体の側板部の係合孔に蓋体の係止片が嵌挿されることで、蓋体が上動不能に位置規制されて変形させることができないものが知られている（例えば、特許文献３を参照。）。
【０００６】
また、制御基板が固定されるベース部材（底板）と当該ベース部材に固定された制御基板を覆うカバー部材とを緊締方向にのみ螺回可能なかしめネジにより固定したものが知られている（例えば、特許文献４を参照。）。この特許文献４に記載の遊技機の制御基板ケースでは、一旦、ベース部材にカバー部材を組み合わせるとかしめネジを取り外しての解放は困難になっている。
【０００７】
また、レーザー照射により制御基板ケースの部材間に刻印を設けた制御基板ケースが知られている（例えば、特許文献５参照。）。この特許文献５に記載の遊技機の制御基板ケースでは、不正に制御基板ケースを分解した際、制御基板ケースの構成部品に不正した痕跡が残り、容易に不正な制御基板ケースか否かを判断でき、不正を極力防止することができる。
【特許文献１】特開平１０−６５３４９号公報
【特許文献２】特開２００１−２０４９４０号公報
【特許文献３】特開２００１−３４７０３３号公報
【特許文献４】特開２００６−３４６０８号公報
【特許文献５】特開平１０−４３４０２号公報
【発明の開示】
【発明が解決しようとする課題】
【０００８】
しかしながら、上記特許文献１乃至５に記載の制御基板ケースでは、予め、複数の正規の制御基板ケースを分解し、分解後に破損のない制御基板ケースの構成部材を組み合わせることにより、新しく不正な制御基板ケースを作製できるという問題があった。
【０００９】
例えば、上記特許文献４においての制御基板ケースで不正制御基板ケースを作成する場合、ベース部材の取り出しについては、かしめネジを嵌入しているカバー部材の台座と筐体との連結部をニッパー等の工具で切断することにより行うことができる。さらに、カバー部材の取り出しについては、ベース部材のかしめネジのネジ受け部を破壊することにより可能となる。また、上記特許文献５においての制御基板ケースで不正制御基板ケースを作成する場合、裏側ケーシング本体の取り出しについては、蓋部を破壊し、封印部材を残したまま裏側ケーシング本体を取り出す。さらに、蓋部の取り出しについては、裏側ケーシング本体、封印部材を破壊し、蓋部を取り出す。その後、レーザーマーキングによるレーザー溶接、及び割印による印字を再度、同位置に行うことで可能となる。また、予め準備しておいた同形同材質の封印部材を使用することで、不正制御基板ケースをより正確に再現可能となる。
【００１０】
そこで、本発明は、上述した問題を解決するためになされたものであり、遊技機の基板ケースが不正に分解され、交換された場合、容易に不正な基板ケースか否かを識別できる遊技機の基板ケース、当該基板ケースへの識別表記の刻印方法及び当該基板ケースへの識別表記の刻印装置を提供することを目的とする。
【課題を解決するための手段】
【００１１】
上記課題を解決するため、請求項１に係る発明の遊技機の基板ケースは、遊技機の制御を行う制御基板を収納する遊技機の基板ケースであって、前記遊技機の基板ケースは、前記遊技機に固定されるベース部材と、前記ベース部材に係止され、前記制御基板を保護するカバー部材とから構成され、前記カバー部材及び前記ベース部材に、正規の基板ケースか否かを識別する同一かつ固有の識別表記が各々設けられたことを特徴とする。
【００１２】
また、請求項２に係る発明の遊技機の基板ケースは、請求項１に記載の発明の構成に加え、前記基板ケースに設けられたバーコードをバーコード読み取り可能なバーコードスキャナで読み取り、読み取ったデータを前記識別表記として、前記カバー部材及び前記ベース部材に各々設けたことを特徴とする。
【００１３】
また、請求項３に係る発明の遊技機の基板ケースは、請求項１又は２に記載の発明の構成に加え、前記識別表記が、前記基板ケース内の前記制御基板の回路を構成する部品の見通しを妨げない位置に設けられたことを特徴とする。
【００１４】
また、請求項４に係る発明の遊技機の基板ケースは、請求項１乃至３のいずれかに記載の発明の構成に加え、前記識別表記が、前記カバー部材の側面及び前記ベース部材の側面のうちの少なくとも一方の側面に設けられたことを特徴とする。
【００１５】
また、請求項５に係る発明の遊技機の基板ケースは、請求項１乃至４のいずれかに記載の発明の構成に加え、前記識別表記が、前記制御基板の回路パターンのグランド部に対向した部分に設けられたことを特徴とする。
【００１６】
また、請求項６に係る発明の遊技機の基板ケースは、請求項１乃至５のいずれかに記載の発明の構成に加え、前記識別表記はレーザーの照射加工によって刻印されたことを特徴とする。
【００１７】
また、請求項７に係る発明の遊技機の基板ケースへの識別表記の刻印方法は、遊技機の制御を行う制御基板を収納する基板ケースが正規のものか否かを識別する同一かつ固有の識別表記が当該基板ケースに刻印される基板ケースへの識別表記の刻印方法であって、前記遊技機の基板ケースは、前記遊技機に固定されるベース部材と、前記ベース部材に係止され、前記制御基板を保護するカバー部材とから構成され、前記カバー部材及び前記ベース部材に前記識別表記を各々刻印することを特徴とする。
【００１８】
また、請求項８に係る発明の遊技機の基板ケースへの識別表記の刻印方法は、請求項７に記載の基板ケースへの識別表記の刻印方法に加え、前記基板ケースに設けられたバーコードをバーコード読み取り可能なバーコードスキャナで読み取り、読み取ったデータを前記識別表記として、前記カバー部材及び前記ベース部材に各々刻印することを特徴とする。
【００１９】
また、請求項９に係る発明の遊技機の基板ケースへの識別表記の刻印方法は、請求項７又は８に記載の基板ケースへの識別表記の刻印方法に加え、前記識別表記が、前記基板ケース内の前記制御基板の回路を構成する部品の見通しを妨げない位置に刻印されることを特徴とする。
【００２０】
また、請求項１０に係る発明の遊技機の基板ケースへの識別表記の刻印方法は、請求項７乃至９のいずれかに記載の基板ケースへの識別表記の刻印方法に加え、前記識別表記が、前記カバー部材の側面及び前記ベース部材の側面のうちの少なくとも一方の側面に対して刻印されることを特徴とする。
【００２１】
また、請求項１１に係る発明の遊技機の基板ケースへの識別表記の刻印方法は、請求項７乃至１０のいずれかに記載の基板ケースへの識別表記の刻印方法に加え、前記識別表記が、前記制御基板の回路パターンのグランド部に対向した部分に刻印されることを特徴とする。
【００２２】
また、請求項１２に係る発明の遊技機の基板ケースへの識別表記の刻印方法は、請求項７乃至１１のいずれかに記載の基板ケースへの識別表記の刻印方法に加え、前記識別表記はレーザーの照射加工によって刻印されることを特徴とする。
【００２３】
また、請求項１３に係る発明の遊技機の基板ケースへの識別表記の刻印装置は、遊技機の制御を行う制御基板を収納し、当該遊技機に固定されるベース部材と、当該ベース部材に係止され、当該制御基板を保護するカバー部材とから構成され、前記ベース部材又はカバー部材の少なくとも一方には固有のバーコードが設けられた基板ケースが正規のものか否かを識別する同一かつ固有の識別表記が当該基板ケースに刻印される基板ケースへの識別表記の刻印装置であって、前記基板ケースを搬送する搬送手段と、前記バーコードを読み取る読取手段と、前記基板ケースに刻印する刻印手段と、前記搬送手段により搬送された前記基板ケースのカバー部材及びベース部材に、前記読取手段により前記基板ケースから読み取られた前記バーコードを前記識別表記として前記刻印手段に各々刻印させる制御手段とを備えている。
【発明の効果】
【００２４】
請求項１に係る発明の遊技機の基板ケースでは、カバー部材及びベース部材に正規の基板ケースか否かを識別する同一かつ固有の識別表記を各々設けることにより、基板ケースのカバー部材又はベース部材がすり替えられた際、容易に正規のものか否かを識別することができる。
【００２５】
また、請求項２に係る発明の遊技機の基板ケースでは、請求項１に記載の発明の効果に加え、基板ケースに設けられたバーコードを読み取り、読み取ったデータを識別表記として各々刻印される。その結果、容易に固有の識別表記を設けた基板ケースを作成することができる。
【００２６】
また、請求項３に係る発明の遊技機の基板ケースでは、請求項１又は２に記載の発明の効果に加え、回路を構成する部品の見通しを妨げない位置に識別表記が設けられる。その結果、回路を構成する部品が識別表記に邪魔されることなく基板ケースを通しても視認可能となる。
【００２７】
また、請求項４に係る発明の遊技機の基板ケースでは、請求項１乃至３のいずれかに記載の発明の効果に加え、識別表記が、カバー部材の側面及びベース部材の側面のうちの少なくとも一方の側面に設けられる。また通常、回路を構成する部品は上面を通して視認される為、回路を構成する部品は識別表記に邪魔されることなく基板ケースを通しても視認可能となる。
【００２８】
また、請求項５に係る発明の遊技機の基板ケースでは、請求項１乃至４のいずれかに記載の発明の効果に加え、制御基板の回路パターンのグランド部に対向した、カバー部材の上面又はベース部材の下面の位置に識別表記が設けられる。その結果、回路を構成する部品が識別表記に邪魔されることなく基板ケースの上面又は下面を通しても視認可能となる。
【００２９】
また、請求項６に係る発明の遊技機の基板ケースでは、請求項１乃至５のいずれかに記載の発明の効果に加え、識別表記がレーザーの照射加工によって刻印される。レーザーの照射加工は、局所的に刻印をすることができ、細部まで識別表記の表現が可能となる。その結果、同一の基板ケースが作成されにくくなり、不正行為をよりいっそう防止することができる。
【００３０】
また、請求項７に係る発明の遊技機の基板ケースへの識別表記の刻印方法では、カバー部材及びベース部材に同一かつ固有の識別表記を設けることにより、基板ケースのカバー部材又はベース部材がすり替えられた際、容易に正規のものか否かを識別することができる基板ケースを作成できる。
【００３１】
また、請求項８に係る発明の遊技機の基板ケースへの識別表記の刻印方法では、請求項７に記載の発明の効果に加え、基板ケースに設けられたバーコードを読み取り、読み取ったデータを識別表記として刻印することにより、容易に固有の識別表記を設けた基板ケースを作成することができる。
【００３２】
また、請求項９に係る発明の遊技機の基板ケースへの識別表記の刻印方法では、請求項７又は８に記載の発明の効果に加え、回路を構成する部品の見通しを妨げない位置に識別表記を設ける。その結果、回路を構成する部品が識別表記に邪魔されることなく基板ケースを通しても視認可能となる。
【００３３】
また、請求項１０に係る発明の遊技機の基板ケースへの識別表記の刻印方法では、請求項７乃至９のいずれかに記載の発明の効果に加え、識別表記をカバー部材及の側面及びベース部材の側面のうちの少なくとも一方の側面に設ける。また通常、回路を構成する部品は上面を通して視認される為、回路を構成する部品が識別表記に邪魔されることなく基板ケースを通しても視認可能となる。
【００３４】
また、請求項１１に係る発明の遊技機の基板ケースへの識別表記の刻印方法では、請求項７乃至１０のいずれかに記載の発明の効果に加え、制御基板の回路パターンのグランド部に対向した位置に識別表記を設ける。その結果、回路を構成する部品が識別表記に邪魔されることなく基板ケースを通しても視認可能となる。
【００３５】
また、請求項１２に係る発明の遊技機の基板ケースへの識別表記の刻印方法では、請求項７乃至１１のいずれかに記載の発明の効果に加え、識別表記をレーザーの照射加工によって刻印する。レーザーの放射加工によって刻印された形状は局所的に刻印される。その結果、基板ケースを模造されにくくし、不正行為をよりいっそう防止することができる。
【００３６】
また、請求項１３に係る発明の遊技機の基板ケースへの識別表記の刻印装置では、基板ケースを搬送する搬送手段、基板ケースに設けられた固有のバーコードを読み取る読取手段、前記基板ケースに刻印する刻印手段、及び前記搬送手段により搬送された前記基板ケースのカバー部材及びベース部材に、前記読取手段により前記基板ケースから読み取られた前記バーコードを前記識別表記として前記刻印手段に各々刻印させる制御手段とを用いることにより、カバー部材とベース部材との両方に同一かつ固有の識別表記としてバーコードを設けた基板ケースを正確且つ大量に作成することができる。
【発明を実施するための最良の形態】
【００３７】
以下、本発明に係る遊技機の基板ケースの一実施の形態である、パチンコ機１の内部に取り付けられる制御基板ケース１０について、図面を参照して説明する。まず、制御基板ケース１０が設けられたパチンコ機１の構成について説明する。図１は、パチンコ機１の背面図である。図２は、パチンコ機１の背面における部分拡大図である。図３は、制御基板ケースの分解斜視図である。なお、図２に示す制御基板ケース１０が本発明の「基板ケース」に相当する。
【００３８】
図１に示すように、パチンコ機１は、パチンコ機１本体を支持する正面視略長方形状の外枠２を備えており、この外枠２により遊技場の遊技機設置島（図示外）に設置される。そして、パチンコ機１の背面の右下部には、払出制御基板（図示外）を収納した払出制御基板ボックス５が設けられている。そして、払出制御基板ボックス５の上には、遊技機設置島に設置されたパチンコ機１の隣に設置され、現金やプリペイドカードを投入して、パチンコ機１で使用する遊技球を交換するためのカードユニット（図示外）と接続するためのカードユニット接続装置６が設けられている。
【００３９】
また、パチンコ機１の前面の上約半分には各種入賞口や役物、液晶画面を備えた遊技盤（図示外）が備えられている。そして、この遊技盤の背面には液晶画面（図示外）の制御を行う図柄表示基板（図示外）や各種ランプや電動役物の制御を行う電飾基板（図示外）が設けられている。これらの図柄表示基板や電飾基板、遊技盤の背面、各種配線は、パチンコ機１の背面の略中央部に設けられたセンターカバー４により覆われて保護されている。また、カードユニット接続装置６の上部には、遊技機の前面に設けられている下皿（図示外）に遊技球を払い出す（排出する）ための払出装置７が設けられている。そして、パチンコ機１の背面上部、センターカバー４の上部には、遊技球タンク３が設けられており、遊技機設置島から供給された遊技球を貯留し、その遊技球を払出装置７へ供給する。
【００４０】
図２に示すように、センターカバー４の内部には、ＣＰＵやＲＯＭ等の制御素子を備えてパチンコ機１の主制御を司る制御基板（図示外）を収納した透明な樹脂製の制御基板ケース１０が収容されている。なお、センターカバー４は透明な樹脂で形成されているため、その外部からセンターカバー４の内部を視認することが可能である。よって、遊技場の係員等がセンターカバー４の外部から、その内部に格納された制御基板ケース１０を確認することができるようになっている。なお、図２では理解の容易のため、制御基板ケース１０を点線で表示している。
【００４１】
図３に示すように、制御基板ケース１０は、カバー部材２０がかしめネジ８０，９０によりベース部材３０に固定されて、中空の略箱状体に構成される。なお、カバー部材２０とベース部材３０との間に挟みこむように、ＣＰＵやＲＯＭ等の制御素子を備えた制御基板が制御基板ケース１０の内部に収容されるが、理解を容易とするために、制御基板は図示していない。
【００４２】
次に、図３を参照して、カバー部材２０について説明する。カバー部材２０は、長方形状の天板４０と当該天板４０の長手方向一端部（図３における右端部）から立設された右側面４１、当該一端部と反対側の端部（図３における左端部）から立設された左側面４２、前記長手方向と直交する方向の下縁端部（図３における下部）から立設された下側面４３及び当該下縁端部と反対側の上縁端部（図３における上部）から立設された上側面４４により蓋形状の外観をなす。ここで、蓋形状であるカバー部材２０の開放した面を開放面と呼ぶ。
【００４３】
さらに、カバー部材２０の各側面４１〜４４には、カバー部材２０をベース部材３０に固定するための構成を有する。右側面４１には、円筒状の貫通孔９３（図６参照）が穿設された円柱状の台座２１ａ〜２１ｄが縦１列に設けられている。そして、台座２１ａ〜２１ｄは、各々ベース部材３０のネジ受け部３１ａ〜３１ｄに対応して、かしめネジ８０ａ〜８０ｄを各々貫挿可能である。また、右側面４１には、ベース部材３０に設けられた係止爪部３８ａ，３８ｂが各々貫挿可能な貫通孔７１ａ，７１ｂが穿設され、係止爪部３８ａ，３８ｂの先端に設けられる爪片が各々係止される係止部位を有する正面視Ｌ字形状の爪受け部２８ａ，２８ｂが設けられている。本実施の形態では、台座２１ａの下側に係止爪部３８ａが係止される爪受け部２８ａが、台座２１ｄの上側に係止爪部３８ｂが係止される爪受け部２８ｂが、それぞれ設けられている。
【００４４】
同様に、カバー部材２０の左側面４２にも、円筒状の貫通孔９３（図６参照）が穿設された円柱状の台座２２ａ〜２２ｄが縦１列に設けられている。そして、台座２２ａ〜２２ｄは、各々ベース部材３０のネジ受け部３２ａ〜３２ｄに対応して、かしめネジ９０ａ〜９０ｄを各々貫挿可能である。また、左側面４２にも、ベース部材３０に設けられた係止爪部３９ａ，３９ｂが貫挿可能な貫通孔７２ａ，７２ｂが穿設され、係止爪部３９ａ，３９ｂの先端に設けられる爪片が各々係止される係止部位を有する正面視Ｌ字形状の爪受け部２９ａ，２９ｂが設けられている。本実施の形態では、台座２２ａの上側に係止爪部３９ａが係止される爪受け部２９ａが、台座２２ｄの下側に係止爪部３９ｂが係止される爪受け部２９ｂが、それぞれ設けられている。
【００４５】
一方、カバー部材２０の下側面４３には、開放面の高さと天板４０の高さとの間に位置し、開放面及び天板４０と平行をなす正面視矩形状の段差面２５が設けられている。この段差面２５により、カバー部材２０の下縁部では階段状に段差が形成される。そして、この段差面２５の下端部には、若干隆起した爪受け部２４が設けられており、ベース部材３０の下端部に設けられた係止爪部３４の先端の爪片が、この爪受け部２４に係止される。
【００４６】
他方、カバー部材２０の上側面４４には、開放面側からコの字に凹陥された嵌挿凹部２３ａ，２３ｂが形成されている。本実施の形態では、上側面４４の横方向（図３の左右方向）に対して略均等に２つの嵌挿凹部２３ａ，２３ｂが設けられており、それぞれベース部材３０に設けられた嵌挿凸部３３ａ，３３ｂが係合される。
【００４７】
また、カバー部材の天板４０には、固有のバーコード６５が設けられており、カバー部材２０の上側面４４には、レーザーマーカー１２０（図８参照）によりバーコード刻印６０ａが刻印されている。このバーコード刻印６０ａが本発明の「識別表記」に相当する。このバーコード刻印６０ａについての詳細は後述する。さらに、制御基板ケース１０に収容される制御基板の回路パターンに対向する部分とグランド部に対向する部分との境界をグランド境界線７０で示している。
【００４８】
次に、ベース部材３０について説明する。図３に示すように、ベース部材３０は、長方形状の底板５０と当該底板５０の長手方向一端部（図３における右端部）から立設された右側面５１、当該一端部と反対側の端部（図３における左端部）から立設された左側面５２、前記長手方向と直交する方向の下縁端部（図３における下部）から立設された下側面５３及び当該下縁端部と反対側の上縁端部（図３における上部）から立設された上側面５４により蓋形状の外観をなす。ここで、蓋形状であるベース部材３０の開放した面を開放面と呼ぶ。なお、蓋形状のカバー部材２０の開放面とベース部材３０の開放面とが平行をなすように対向させ、カバー部材２０の各側面とベース部材の各側面とが合わさるように組み合わされて、制御基板ケース１０が形成される。
【００４９】
さらに、ベース部材３０の各側面５１〜５４には、カバー部材２０をベース部材３０に固定するための構成を有する。右側面５１には、中空状のネジ孔が形成されたネジ受け部３１ａ，３１ｂ，３１ｃ，３１ｄの４つのネジ受け部が縦１列に設けられている。そして、ネジ受け部３１ａ〜３１ｄは、各々カバー部材２０の台座２１ａ〜２１ｄに対応して、かしめネジ８０ａ〜８０ｄを各々嵌挿可能である。また、右側面５１には、開放面（カバー部材２０）の方向に突出して、先端部付近が隆起して爪部が形成された矢印形状をなし、カバー部材２０の爪受け部２８ａ，２８ｂに各々係合される係止爪部３８ａ，３８ｂが設けられている。本実施の形態では、ネジ受け部３１ａの下側に爪受け部２８ａに係止される係止爪部３８ａが、ネジ受け部３１ｄの上側に爪受け部２８ｂに係止される係止爪部３８ｂが、それぞれ設けられている。
【００５０】
同様に、ベース部材３０の左側面５２には、中空状のネジ孔が形成されたネジ受け部３２ａ，３２ｂ，３２ｃ，３２ｄの４つのネジ受け部が縦１列に設けられている。そして、ネジ受け部３２ａ〜３２ｄは、各々カバー部材２０の台座２２ａ〜２２ｄに対応して、かしめネジ９０ａ〜９０ｄを各々嵌挿可能である。また、左側面５２にも、開放面（カバー部材２０）の方向に突出して、先端部付近が隆起して爪部が形成された矢印形状をなし、カバー部材２０の爪受け部２９ａ，２９ｂに各々係合される係止爪部３９ａ，３９ｂが設けられている。本実施の形態では、ネジ受け部３２ａの上側に爪受け部２９ａに係止される係止爪部３９ａが、ネジ受け部３２ｄの下側に爪受け部２９ｂに係止される係止爪部３９ｂが、それぞれ設けられている。
【００５１】
一方、ベース部材３０の下側面５３には、開放面（カバー部材２０）の方向に突出して、先端部付近が隆起して爪部が形成された矢印形状をなし、カバー部材２０の爪受け部２４に係止される係止爪部３４が設けられている。
【００５２】
他方、ベース部材３０の上側面５４には、底板５０から上方向に突出して正面視Ｔ字型をなす嵌挿凸部３３ａ，３３ｂが形成されている。本実施の形態では、上側面５４の横方向（図３の左右方向）に対して略均等に２つの嵌挿凸部３３ａ，３３ｂが設けられており、それぞれカバー部材２０に設けられた嵌挿凹部２３ａ，２３ｂに係合される。
【００５３】
また、ベース部材３０の上側面５４には、レーザーマーカーによりバーコード刻印６０ｂが刻印されている。このバーコード刻印６０ｂが本発明の「識別表記」に相当する。このバーコード刻印６０ｂについての詳細は後述する。
【００５４】
次に、かしめネジ８０ａ〜８０ｄ（かしめネジ９０ａ〜９０ｄ）について説明する。かしめネジ８０ａ〜８０ｄ（かしめネジ９０ａ〜９０ｄ）は、緊締方向にのみ螺回操作可能な頭部を有する所謂ワンウェイタイプのネジであり、胴部の先端には径が大きくなった大口径部を有している。そして、かしめネジ８０ａ〜８０ｄ（かしめネジ９０ａ〜９０ｄ）が、台座２１ａ〜２１ｄ（台座２２ａ〜２２ｄ）の貫通孔に貫挿され、かつネジ受け部３１ａ〜３１ｄ（ネジ受け部３２ａ〜３２ｄ）のネジ孔に貫嵌され、その大口径部がネジ孔において係止されることで、カバー部材２０をベース部材３０に密着固定するものであるが、詳細は後述する。
【００５５】
以上のような構成において、カバー部材２０の開放面とベース部材３０の開放面とを対向させつつ、その縁部を合致させるように両者を密着させることで、カバー部材２０とベース部材３０とが接触する四方縁部において両者が固定されて制御基板ケース１０が構成される。また、緊締方向にのみ螺回操作可能な頭部を有するワンウェイタイプのネジでネジ受け部３１ａ〜３１ｄ（ネジ受け部３２ａ〜３２ｄ）に螺合することでベース部材３０とカバー部材をより密着に固定することができる。
【００５６】
次に、制御基板ケース１０における上記固定部位を図４乃至図７を参照して、個別に説明する。図４は、制御基板ケース１０の正面図である。図５は、制御基板ケース１０の平面図である。図６は、右かしめ部１１ａ〜１１ｄの斜視図である。図７は、右かしめ部１１ａの部分拡大図である。
【００５７】
図４及び図６に示すように、制御基板ケース１０の右側面６１では、台座２１ａ〜２１ｄとネジ受け部３１ａ〜３１ｄとが各々係合されて、かしめネジ８０ａ〜８０ｄが嵌着される右かしめ部１１ａ〜１１ｄが形成される。同様に、制御基板ケース１０の左側面６２では、台座２２ａ〜２２ｄとネジ受け部３２ａ〜３２ｄとが各々係合されて、かしめネジ９０ａ〜９０ｄが嵌着される左かしめ部１２ａ〜１２ｄが形成される。なお、右かしめ部１１ａ〜１１ｄの４箇所全てを用いる必要はなく、うちの１箇所にかしめネジ８０ａ〜８０ｄの１つを嵌着すればよく、同様に、左かしめ部１２ａ〜１２ｄの４箇所全てを用いる必要はなく、うちの１箇所にかしめネジ９０ａ〜９０ｄの１つを嵌着すればよい。以下では、番号「１」が付された右かしめ部１１ａ及び左かしめ部１２ａを用いて固定する場合を例示する。
【００５８】
図６及び図７に示すように、右かしめ部１１ａにおいて、台座２１ａはかしめネジ８０ａが貫挿される円柱状中空を有する筒状体２１０と、筒状体２１０を支持してカバー部材２０に連結する連結部材２１１，２１２と、筒状体２１０の内部に設けられてかしめネジ８０ａの径の大きさに応じて伸縮してかしめネジ８０ａを固定する係止羽根２１３，２１４を備えている。また、筒状体２１０はネジ受け部３１のネジ孔に連通される。なお、右かしめ部１１ｂ〜１１ｄの構成も右かしめ部１１ａと同様であり、４つの筒状体２１０が並列に設けられるとともに、台座２１ａ〜２１ｄはカバー部材２０に一体に設けられている。また、左かしめ部１２ａ〜１２ｄ（図４参照）の構成も右かしめ部１１ａ〜１１ｄと同様である。
【００５９】
そして、制御基板ケース１０を形成する場合、かしめネジ８０ａを筒状体２１０に挿入しその頭部を回動押圧して、かしめネジ８０ａの頭部が係止羽根２１３，２１４に当接するまで押し込む。すると、かしめネジ８０ａの胴部がその側面から係止羽根２１３，２１４により押圧されて固定され、胴部の先端に設けられた大口径部がネジ受け部３１のネジ孔に嵌挿される。そして、かしめネジ８０ａはワンウェイタイプのネジであるから、引き抜くことが不可能である。同様に、左かしめ部１２ａ（図４参照）にもかしめネジ９０ａ（図４参照）が嵌め込まれる。
【００６０】
一方、内部の制御基板の検査や修理などの理由で、制御基板ケース１０を開放する必要がある場合、ニッパーやカッター等で連結部材２１１，２１２を切断すれば筒状体２１０を取り外すことができる。このため、右かしめ部１１ａ及びかしめネジ８０ａを取り外すことができる。同様に左かしめ部１２ａ及びかしめネジ９０ａも取り外せば、制御基板ケース１０を開放することができる。そして再度、制御基板ケース１０を閉じる場合には、他の右かしめ部１１ｂ〜１１ｄ及び左かしめ部１２ｂ〜１２ｄ（図４参照）に、かしめネジ８０ｂ〜８０ｄ及びかしめネジ９０ｂ〜９０ｄを嵌着すればよい。
【００６１】
また、図３乃至図６に示すように、制御基板ケース１０の右側面６１では、右かしめ部１１ａの下側において、爪受け部２８ａに形成された貫通孔に係止爪部３８ａが挿入され、係止爪部３８ａの先端に形成された爪部が爪受け部２８ａに係止されて、係合部１８ａが形成される。同様に右かしめ部１１ｄの上側において、係止爪部３８ｂが爪受け部２８ｂに係止されて、係合部１８ｂが形成される。なお、制御基板ケース１０の左側面６２でも、係止爪部３９ａ，３９ｂが爪受け部２９ａ，２９ｂに各々係止されて、係合部１９ａ，１９ｂが形成される。
【００６２】
また、図３及び図５を参照して、制御基板ケース１０のカバー部材２０とベース部材３０に設けられている固有の識別表記であるバーコード刻印６０ａ，６０ｂの刻印位置について説明する。一例として、バーコード刻印６０ａは、カバー部材２０の上側面４４の表面の略中央に刻印されている。さらに、バーコード刻印６０ｂは、ベース部材３０の上側面５４の右側に刻印され、カバー部材２０の上側面４４により覆われている。従って、バーコード刻印６０ａ，６０ｂは、各々重ならない位置に刻印されている。
【００６３】
次に、固有の識別表記であるバーコード刻印６０ａ，６０ｂ（図３参照）を制御基板ケース１０のカバー部材２０及びベース部材３０に刻印するバーコード刻印装置１００について、図８乃至図１０を参照して説明する。図８はバーコード刻印装置１００の構成の概略図であり、図９はレーザーマーカー１２０の内部構成を示す図であり、図１０はパーソナルコンピュータ１１０の電気的構成を示すブロック図である。
【００６４】
まず、図８を参照して、バーコード刻印装置１００の構成について説明する。バーコード刻印装置１００は、バーコードを読み取り可能なバーコードスキャナ１３０、制御基板ケース１０のカバー部材２０及びベース部材３０に刻印するためのレーザーマーカー１２０、バーコードスキャナ１３０により読取ったバーコードを入力値とし、刻印用データとしてレーザーマーカー１２０に出力する制御を行うパーソナルコンピュータ１１０及び制御基板ケース１０を搬送するベルトコンベア１４０から構成されている。また、パーソナルコンピュータ１１０は周知のパーソナルコンピュータであり、ＣＰＵを備えたパーソナルコンピュータ本体１１２、表示用のモニタ１１１、入力用のキーボード１１４及びマウス１１５より構成されている。そして、モニタ１１１、キーボード１１４及びマウス１１５はそれぞれパーソナルコンピュータ１１０に接続ケーブルによって接続されている。また、バーコードスキャナ１３０、レーザーマーカー１２０及びベルトコンベア１４０の制御装置であるベルトコンベア制御部１４４も接続ケーブルによってパーソナルコンピュータ１１０に接続されており、パーソナルコンピュータ１１０により制御される。また、図８に示すベルトコンベア１４０が本発明の「搬送手段」に相当し、バーコードスキャナ１３０が本発明の「読取手段」に相当し、レーザーマーカー１２０が本発明の「刻印手段」に相当し、パーソナルコンピュータ１１０のＣＰＵが「制御手段」に相当し、バーコード刻印装置１００が本発明の「刻印装置」に相当する。
【００６５】
さらに、レーザーマーカー１２０によって刻印される制御基板ケース１０は、ベルトコンベア１４０のベルト１４１上に一定間隔で印が付けられた位置に載置されている。さらに、制御基板ケース１０はレーザーマーカー１２０により刻印される側面をレーザーマーカー１２０のレーザー放出側に向けて載置されている。また、制御基板ケース１０はバーコードスキャナ１３０により読み取り可能な位置に固有のバーコード６５が設けられているものとする。また、制御基板ケース１０は、ベース部材３０とカバー部材２０から構成され、カバー部材２０はベース部材３０に係止されると共に、緊締方向にのみ螺回操作が可能な頭部を有するワンウェイタイプのかしめネジにより螺合されているものとする。
【００６６】
次に、バーコードスキャナ１３０について説明する。バーコードスキャナ１３０は電荷結合素子（ＣＣＤ）イメージセンサ（図示外）を備えた周知のＣＣＤスキャン方式のバーコードスキャナである。ＣＣＤスキャン方式は、複数の光源（赤色ＬＥＤ）から放射された光をレンズで拡散し、バーコードを均一に照射する。そして、そのバーコードの像をレンズによりＣＣＤイメージセンサの上に映し出し、電気信号に変換して出力する。
【００６７】
次に、図９を参照して制御基板ケース１０のベース部材３０及びカバー部材２０に識別表記を刻印するレーザーマーカー１２０について説明する。図９に示すレーザーマーカー１２０は周知のレーザーマーカーであり、対象物に対してレーザー照射を行い、刻印する装置である。レーザーマーカー１２０は、レーザー光１２５を利用して非接触状態で刻印対象物の加工面に熱加工により刻印する。レーザー光１２５は、発信器内１２１の反射ミラー（図示外）間を往復し、増幅される。増幅されたレーザー光１２５は、ｆθレンズ１２４を通して刻印対象物の加工面で集光する。このレーザーマーカー１２０の集光ポイントはＸ軸、Ｙ軸を制御する各々のスキャンミラー１２３ａ，１２３ｂにより動かされる。これにより、レーザーマーカー１２０は、刻印対象物の加工面をはく離、化学変化、または彫り込むことで加工面に刻印する形状を表現する。また、刻印対象物がレーザー光１２５の貫通可能な透明性を有する対象物であれば、レーザーマーカー１２０は集光ポイントを合わすことで、刻印対象物の内部及び裏側に対しても刻印が可能である。
【００６８】
次に、図８を参照して、ベルトコンベア１４０について説明する。ベルトコンベア１４０は、制御基板ケース１０を搬送する無端のベルト１４１、当該ベルト１４１を支え当該ベルト１４１に駆動を伝達するローラ１４２，１４３、当該ローラ１４３に駆動を伝達するベルトコンベア駆動モータ１４５、及びベルトコンベア駆動モータ１４５を制御するベルトコンベア制御部１４４から構成されている。また、ベルト１４１上にはバーコードスキャナ１３０でバーコードを読み取り可能位置からレーザーマーカー１２０で刻印可能位置までの一定間隔で、十字状の印（図示外）が制御基板ケース１０の各々角に対応する部分に設けられている。この印に対応するように制御基板ケース１０を載置することでレーザーマーカー１２０により、正確に制御基板ケース１０に対して照射できるようになる。
【００６９】
次に、図１０を参照して、パーソナルコンピュータ１１０の電気的構成について説明する。図１０に示すように、パーソナルコンピュータ１１０には、パーソナルコンピュータ１１０の制御を司るＣＰＵ２００が設けられている。このＣＰＵ２００には、ＣＰＵ２００が実行するＢＩＯＳ等のプログラムを記憶したＲＯＭ２０１と、データを一時的に記憶するＲＡＭ２０２と、データの記憶媒体であるＣＤ−ＲＯＭ２０４を挿入し、データの読込みを行うＣＤ−ＲＯＭドライブ２０３と、データの記憶装置であるＨＤＤ２０５とが、バス２０６を介して接続されている。また、モニタ１１１、キーボード１１４、マウス１１５、バーコードスキャナ１３０、レーザーマーカー１２０及びベルトコンベア駆動モータ１４５の制御を行うベルトコンベア制御部１４４は内部又は外部からの入出力を受けるＩ／Ｏインタフェイス３０１、バス２０６を介してＣＰＵ２００に接続されている。
【００７０】
次に、図８又は図１１を参照してバーコード刻印装置１００の制御の流れについて説明する。図１１は、バーコード刻印装置１００の制御を行うフローチャートであり、パーソナルコンピュータ１１０のＣＰＵ２００により図１１に示す処理が実行される。
【００７１】
まず、ベルトコンベア１４０上の所定位置に載置された制御基板ケース１０を移動させるためにベルトコンベア１４０を作動させる（Ｓ１１）。すると、ベルトコンベア駆動モータ１４５の軸が正面視時計周り方向（Ｘ１方向）に回動し、ローラ１４３も正面視時計周り方向（Ｘ１方向）に回動する。その結果、ベルトコンベア１４０のベルト１４１が搬送方向下流側（Ｘ２方向）に移動し、ベルト１４１上に載置された制御基板ケース１０が搬送方向下流側（Ｘ２方向）に移動する。
【００７２】
さらに、制御基板ケース１０がバーコードスキャナ１３０に対してバーコード６５が読み取り可能な所定位置を通過すると、制御基板ケース１０に設けられている固有のバーコード６５がバーコードスキャナ１３０によって読み取られる（Ｓ１２）。ここで、バーコード６５がバーコードスキャナ１３０によって読み取られなかった場合（Ｓ１３：Ｎｏ）、制御基板ケース１０は、レーザーマーカー１２０によって刻印されずに搬送される。そして、ベルト１４１上に載置された次の制御基板ケース１０のバーコードの読み取り（Ｓ１２）が行われる。
【００７３】
次に、バーコード６５がバーコードスキャナ１３０によって読み取られた場合（Ｓ１３：Ｙｅｓ）、パーソナルコンピュータ１１０内のＩ／Ｏインタフェイス３０１、バス２０６、ＣＰＵ２００を介してＲＡＭ２０２に読み取られたバーコードの情報が数値データとして保存される（Ｓ１４）。さらに、バーコードスキャナ１３０によるバーコード６５（図３，図４参照）の読み取り可能な所定位置からレーザーマーカー１２０の刻印可能な所定位置に搬送する一定時間が経過すると、ベルトコンベア駆動モータ１４５が停止し、ベルトコンベア１４０も停止する（Ｓ１５）。これにより、ベルトコンベア１４０のベルト１４１上の制御基板ケース１０もレーザーマーカー１２０により刻印可能な所定位置に停止する。その後、パーソナルコンピュータ１１０内のＲＡＭ２０２に保存されているバーコード６５の数値データを元にバーコードの画像データが取得（Ｓ１６）される。そして、取得したバーコードの画像データがレーザーマーカー１２０により制御基板ケース１０のベース部材３０にバーコード刻印６０ａ（図３参照）として刻印される（Ｓ１７）。ここで、制御基板ケース１０のベース部材３０は、カバー部材２０と重なり合った内側にあるが、集光ポイントをベース部材３０に合わすことで刻印が可能である。次に、レーザーマーカー１２０により制御基板ケース１０の重なり合った外側にあるカバー部材２０にも同様にバーコード刻印６０ｂ（図３参照）が刻印される（Ｓ１８）。この時、レーザーマーカー１２０の集光ポイントがＸ軸、Ｙ軸を制御する各々のスキャンミラー１２３ａ，１２３ｂ（図９参照）により動かされることで、カバー部材２０のバーコード刻印６０ｂはベース部材３０のバーコード刻印６０ａと異なった位置に刻印できる。その後、ベルトコンベア１４０による移動により、次の制御基板ケース１０に対して一連の処理が同様に行われる。
【００７４】
このバーコード刻印装置１００により、カバー部材２０とベース部材３０との両方に同一かつ固有の識別表記としてバーコードを設けた基板ケース１０を正確且つ大量に作成することができる。
【００７５】
なお、本発明は上記実施形態に限定されることはなく、本発明の要旨を逸脱しない範囲内で種々の改良、変形が可能である。例えば、レーザーマーカー１２０は、制御基板ケース１０に対して刻印が可能であるなら、その媒体，光源及び照射方法に関しては特に制限しない。また、レーザー媒体の状態には三つの状態があり、用途に応じて変更が可能である。例えば、レーザー媒体が気体においてはＣＯ２，Ｈｃ−Ｎｃ，Ａｒ、レーザー媒体が個体においてはＹＡＧ，ＹＶ０４，ＬＤ、レーザー媒体が液体においてはＤＹｅ等が使用可能である。
【００７６】
また、その方法として、例えば、レーザーマーカー１３０の照射方法は左右、上下、斜め下のいずれの方法で行うようにしてもよい。また、図１４に示すように下（又は斜め下）からレーザーマーカー１２０により照射する方法を含む場合にはベルトコンベア１４０のベルト１４１を２本平行に用いて中央部分に隙間１４７をあけるようにベルト１４１を構成し、下（又は斜め下）からベルト１４１の中央部分の隙間１４７を介してレーザーマーカー１２０により制御基板ケース１０のベース部材３０に対して照射できるように構成してもよい。図１４は変形例２のバーコード刻印装置１００の構成の概略図である。また、中央部分の隙間１４７を用いたものに限らず、図１２に示すように、ベルト１４１に制御基板ケース１０の載置位置を示した印（図示外）の一定間隔と同じ間隔で矩形状の開口部１４６を設けてもよい。図１２は変形例１のバーコード刻印装置１００の構成の概略図である。このバーコード刻印装置１００のベルト１４１上の所定位置に制御基板ケース１０のカバー部材２０を上方にして載置することで制御基板ケース１０の下部からベース部材３０に対して照射できるようになる。ここで、一定間隔の矩形状の開口部１４６は、制御基板ケース１０が落ちない程度の大きさであり、所定位置に載置された制御基板ケース１０のベース部材３０の刻印位置に対して下部からレーザーマーカー１２０により照射ができる大きさである。また、レーザーマーカー１２０が制御基板ケース１０に対して刻印可能な所定位置では、制御基板ケース１０の下部からのレーザー光がベース部材３０に対して照射できるように上下のベルトの開口部１４６が重なるように設けられている。また、図１２に示すように、レーザーマーカー１２０を２種類以上使用してもよい。例えば、上（又は左）から照射するのをエキシマレーザー、下（又は右）から照射するのを炭酸ガスレーザーとするなどして、用途等に応じて、又はレーザーの種類の適正に応じて変更してもよい。図１２に示すバーコード刻印装置１００を使用することにより、図１３に示すような制御基板の回路パターンを可視できるようにグランド境界線７０の外側に固有の識別表記であるバーコード刻印６０ａ，６０ｂをカバー部材２０及びベース部材３０に設けることが可能となる。ここで、図１３は変形例の制御基板ケース１０の正面図である。
【００７７】
また、バーコードスキャナ１３０はＣＣＤスキャナ方式に限らず、バーコードが読み取り可能であるならレーザースキャン方式、又はイメージセンシング方式であっても問題はない。また、これらの方式を組み合わせてもよい。
【００７８】
また、カバー部材２０及びベース部材３０に刻印される識別表記は、同一かつ固有の識別表記であればよく、バーコードのデータを元に加工されたもの又は管理番号等であっても問題はない。例えば、識別表記の形態も上記に限られるものではなく、記号、図形、文字、又は数字等によって、関連づけた表記がされていればよい。さらに、固有の識別表記が刻印される位置は、側面の表面、内部、裏面であっても問題はない。また、制御基板ケース１０のカバー部材２０とベース部材３０を嵌め合せた時に識別表記が外部から見えない位置に設けられていてもよい。例えば、制御基板ケース１０の面と面が重なり合った部分の両面に上記の識別表記があればよい。これにより、カバー部材２０とベース部材３０を嵌め合せた時に識別表記が外部から見えないので、当該識別表記による識別力を低下させることが可能となる。
【００７９】
また、制御基板ケース１０のカバー部材２０及びベース部材３０に刻印される同一かつ固有のバーコード刻印６０ａ，６０ｂは、１次元バーコードに限らずＱＲコードのような２次元バーコードであっても問題はない。
【００８０】
また、制御基板ケース１０のかしめネジ８０ａ〜８０ｄ，９０ａ〜９０ｄの種類もワンウェイタイプのものに限られず、他のかしめネジでも問題はない。また、かしめピン等のかしめ部材やその他の方法で制御基板ケース１０をかしめても問題はない。また、かしめ部１１ａ〜１１ｄ，１２ａ〜１２ｄの個数は片側４箇所で構成されているが、片側３箇所以下又は５箇所以上に構成してもよい。また、両側のかしめ部材の個数を同一にする必要はなく、異なった個数の構成にしてもよい。
【００８１】
また、制御基板ケース１０については、制御基板ケース１０内が見やすくなるように、透明又は半透明の部材を使用することが望ましいが、一部に当該透明又は半透明以外の素材を使用しても問題はない。この場合、当該透明又は半透明の素材を使用する事によって、制御基板ケース１０外から制御基板ケース１０内が見えるように構成し、制御基板ケース１０内の部材に前記識別表記（その他表記でもよい）を行った場合に制御基板ケース１０外から制御基板ケース１０内の前記識別表記を確認し易くなる。また、レーザーマーカー１２０を使用し、制御基板ケース１０を閉めた状態で制御基板ケース１０外から、制御基板ケース１０内の部材に直接刻印する場合も、確認し易くなる。
【産業上の利用可能性】
【００８２】
本発明に係る遊技機の制御基板ケースは、パチンコ機１に用いられる制御基板ケースに限られず、パチコン機、パチスロ機等の各種の遊技機に用いられる制御基板ケースに適用可能である。
【図面の簡単な説明】
【００８３】
【図１】パチンコ機１の背面図である。
【図２】パチンコ機１の背面における部分拡大図である。
【図３】制御基板ケース１０の分解斜視図である。
【図４】制御基板ケース１０の正面図である。
【図５】制御基板ケース１０の平面図である。
【図６】右かしめ部１１ａ〜１１ｄの斜視図である。
【図７】右かしめ部１１ａの部分拡大図である。
【図８】バーコード刻印装置１００の構成の概略図である。
【図９】レーザーマーカー１２０の内部構成を示す図である。
【図１０】パーソナルコンピュータ１１０の電気的構成を示すブロック図である。
【図１１】バーコード刻印装置１００の制御を行うフローチャートである。
【図１２】変形例１のバーコード刻印装置１００の構成の概略図である。
【図１３】変形例の制御基板ケース１０の正面図である。
【図１４】変形例２のバーコード刻印装置１００の構成の概略図である。
【符号の説明】
【００８４】
１  パチンコ機
１０  制御基板ケース
２０  カバー部材
３０  ベース部材
６０ａ，６０ｂ  バーコード刻印
６５  バーコード
７０  グランド境界線
１００  バーコード刻印装置
１１０  パーソナルコンピュータ
１２０  レーザーマーカー
１３０  バーコードスキャナ
１４０  ベルトコンベア
【図１】
2009165565.tif 000003
【図２】
2009165565.tif 000004
【図３】
2009165565.tif 000005
【図４】
2009165565.tif 000006
【図５】
2009165565.tif 000007
【図６】
2009165565.tif 000008
【図７】
2009165565.tif 000009
【図８】
2009165565.tif 000010
【図９】
2009165565.tif 000011
【図１０】
2009165565.tif 000012
【図１１】
2009165565.tif 000013
【図１２】
2009165565.tif 000014
【図１３】
2009165565.tif 000015
【図１４】
2009165565.tif 000016